(57)【要約】【課題】空調機の実配置と識別情報とが正確に管理されていない場合であっても容易に電力抑制制御対象の空調機の設定を行う。【解決手段】電力抑制を要求する要求信号を出力するデマンドコントローラ３と、要求信号に応じ、施設内の空調機に対して電力抑制制御を行う電力抑制制御器５とを備え、電力抑制制御器５は、試運転の際に状態変化のある空調機を検出する状態変化検出部５１と、検出された状態変化のある空調機を電力抑制対象外に設定する対象外設定部５２と、要求信号の入力に応じ、対象外設定部５２による設定に基づいて、電力抑制対象の空調機に対して電力抑制値を示す信号を出力することで電力抑制制御を行う電力抑制制御部５５とを備えた。【選択図】図１
2015094550.tif 000002
【特許請求の範囲】
【請求項１】
施設内の空調機に対して電力抑制制御を行う空調機の電力抑制システムにおいて、
電力抑制を要求する要求信号を出力する電力抑制要求器と、
前記電力抑制要求器からの要求信号に応じ、前記施設内の空調機に対して電力抑制制御を行う電力抑制制御器とを備え、
前記電力抑制制御器は、
試運転の際に状態変化のある前記空調機を検出する状態変化検出部と、
前記状態変化検出部により検出された状態変化のある前記空調機を電力抑制対象外に設定する対象外設定部と、
前記要求信号の入力に応じ、前記対象外設定部による設定に基づいて、電力抑制対象の前記空調機に対して電力抑制値を示す信号を出力することで電力抑制制御を行う電力抑制制御部とを備えた
ことを特徴とする空調機の電力抑制システム。
【請求項２】
施設内の空調機に対して電力抑制制御を行う空調機の電力抑制システムにおいて、
電力抑制を要求する要求信号を出力する電力抑制要求器と、
前記電力抑制要求器からの要求信号に応じ、前記施設内の空調機に対して電力抑制制御を行う電力抑制制御器と、
前記電力抑制制御器と前記空調機を接続する伝送線、又は前記空調機の電源線を切断するスイッチとを備え、
前記電力抑制制御器は、
試運転の際に前記空調機の存在又は不在を検出する接続機器所在検出部と、
前記接続機器所在検出部により存在が検出されなかった、又は不在が検出された前記空調機を電力抑制対象外に設定する対象外設定部と、
前記要求信号の入力に応じ、前記対象外設定部による設定に基づいて、電力抑制対象の前記空調機に対して電力抑制値を示す信号を出力することで電力抑制制御を行う電力抑制制御部とを備えた
ことを特徴とする空調機の電力抑制システム。
【請求項３】
外部から入力された情報を記憶する外部記憶媒体を備え、
前記電力抑制制御器は、前記対象外設定部により設定された情報を前記外部記憶媒体に書込む情報書込み部を備えた
ことを特徴とする請求項１又は請求項２記載の空調機の電力抑制システム。
【請求項４】
前記外部記憶媒体に記憶された情報を表示するパソコンを備えた
ことを特徴とする請求項３記載の空調機の電力抑制システム。
【発明の詳細な説明】
【技術分野】
【０００１】
この発明は、施設内の空調機に対して電力抑制制御を行う空調機の電力抑制システムに関するものである。
【背景技術】
【０００２】
従来の空調機の電力抑制システムでは、空調制御器を用いて、空調制御及び電力デマンド制御を実施している（例えば特許文献１参照）。また、この特許文献１に開示された空調制御器による電力デマンド制御では、事前に電力抑制制御対象の空調機を設定する必要がある。そのため、従来では、現地の空調機システムの構成情報を基に、手動で電力抑制制御対象の空調機を設定している（例えば特許文献１参照）。
【先行技術文献】
【特許文献】
【０００３】
【特許文献１】特開２００１−３１７７９１号公報
【発明の概要】
【発明が解決しようとする課題】
【０００４】
しかしながら、特許文献１に開示される従来の空調機の電力抑制システムでは、施設のフロア図と空調機の識別情報（室外機のアドレス）とを照合表示できる高機能な空調制御器がないと、空調機の実配置と識別情報との整合性が確認できない場合が多い。また、小規模物件では、空調機の実配置と識別情報とが正確に管理されていない場合がある。そのため、電力抑制制御対象の空調機の手動設定では、多くの労力を要するという課題がある。
【０００５】
この発明は、上記のような課題を解決するためになされたもので、空調機の実配置と識別情報とが正確に管理されていない場合であっても容易に電力抑制制御対象の空調機の設定を行うことができる空調機の電力抑制システムを提供することを目的としている。
【課題を解決するための手段】
【０００６】
この発明に係る空調機の電力抑制システムは、電力抑制を要求する要求信号を出力する電力抑制要求器と、電力抑制要求器からの要求信号に応じ、施設内の空調機に対して電力抑制制御を行う電力抑制制御器とを備え、電力抑制制御器は、試運転の際に状態変化のある空調機を検出する状態変化検出部と、状態変化検出部により検出された状態変化のある空調機を電力抑制対象外に設定する対象外設定部と、要求信号の入力に応じ、対象外設定部による設定に基づいて、電力抑制対象の空調機に対して電力抑制値を示す信号を出力することで電力抑制制御を行う電力抑制制御部とを備えたものである。
【発明の効果】
【０００７】
この発明によれば、上記のように構成したので、空調機の実配置と識別情報とが正確に管理されていない場合であっても容易に電力抑制制御対象の空調機の設定を行うことができる。
【図面の簡単な説明】
【０００８】
【図１】この発明の実施の形態１に係る空調機の電力抑制システムの構成を示す図である。
【図２】この発明の実施の形態２に係る空調機の電力抑制システムの構成を示す図である。
【発明を実施するための形態】
【０００９】
以下、この発明の実施の形態について図面を参照しながら詳細に説明する。
実施の形態１．
図１はこの発明の実施の形態１に係る空調機の電力抑制システムの構成を示す図である。
空調機の電力抑制システムは、施設内の空調機に対して電力抑制制御を行うものである。ここで、空調機は、例えば図１に示すように、１台以上の室外機１と、当該室外機１に対して１つの冷房系統で接続された１台以上の室内機２から構成されている。また、室外機１と室内機２との間、又は室外機１同士は、制御通信の媒体となる伝送線により接続されている。なお、本発明では、従来のような空調制御器による空調制御を不要としている。
この空調機の電力抑制システムは、図１に示すように、デマンドコントローラ（電力抑制要求器）３、外部記憶媒体４、電力抑制制御器５及びパソコン６から構成されている。
【００１０】
デマンドコントローラ３は、施設内の消費電力が所定値以下となるよう、電力抑制を要求する要求信号を出力するものである。この際、デマンドコントローラ３は、施設内の消費電力の逼迫度合いに応じて、最大４段階の要求信号（Ｌｖ１〜Ｌｖ４）を切替えて出力する。
【００１１】
外部記憶媒体４は、施設内の空調機に対する電力抑制制御に関する設定情報を記憶するものである。ここで、設定情報には、例えば、空調機の識別情報（室外機１のアドレス）、空調機が電力抑制対象であるかを示す情報、及び電力抑制対象の空調機における要求信号に対する電力抑制値を示す情報が含まれている。
【００１２】
電力抑制制御器５は、デマンドコントローラ３からの要求信号に応じ、施設内の空調機に対して電力抑制制御を行うものである。この電力抑制制御器５は、状態変化検出部５１、対象外設定部５２、情報書込み部５３、情報読出し部５４及び電力抑制制御部５５から構成されている。
【００１３】
状態変化検出部５１は、伝送線を介して空調機と通信を行うことで、試運転の際に状態変化（運停等）のある空調機を検出するものである。
対象外設定部５２は、状態変化検出部５１により検出された状態変化のある空調機を電力抑制対象外に設定するものである。
情報書込み部５３は、対象外設定部５２により設定された電力抑制対象外の空調機を示す情報を外部記憶媒体４に書込むものである。
情報読出し部５４は、外部記憶媒体４から電力抑制対象の空調機に関する設定情報を読出すものである。
電力抑制制御部５５は、デマンドコントローラ３からの要求信号に応じ、情報読出し部５４により読出された電力抑制対象の空調機に関する設定情報に基づいて、当該空調機（室外機１）に対して電力抑制値を示す信号を出力することで電力抑制制御を行うものである。
【００１４】
パソコン６は、外部記憶媒体４に記憶される情報を表示するものである。このパソコン６は、表示部６１から構成されている。なお、この機能部は予め外部記憶媒体４に記憶されたソフトウエアにより実現される。
表示部６１は、外部記憶媒体４に記憶された情報を表示するものである。
【００１５】
次に、上記のように構成された空調機の電力抑制システムの動作について説明する。まず、設定情報の設定動作について説明する。なお以下では、試運転の際に運転を行った空調機を電力抑制制御対象外に設定する場合について説明する。
設定情報の設定動作では、まず、ユーザは試運転の際に、電力抑制制御対象外にしたい空調機を運転させる。そして、外部記憶媒体４を電力抑制制御器５に接続した後、電力抑制制御器５の状態変化検出部５１は、伝送線を介して空調機と通信を行うことで、試運転の際に状態変化（運停等）のある空調機を検出する。
【００１６】
次いで、対象外設定部５２は、状態変化検出部５１により検出された状態変化のある空調機を電力抑制対象外に設定する。
次いで、情報書込み部５３は、対象外設定部５２により設定された電力抑制対象外の空調機を示す情報を外部記憶媒体４に書込む。これにより、外部記憶媒体４に、施設内において、電力抑制制御対象外の空調機が設定情報として設定される。なお、外部記憶媒体４に記憶されるその他の設定情報（電力抑制対象の空調機における要求信号に対する電力抑制値を示す情報）はデフォルト値としてもよいし、パソコン６により任意の値に設定するようにしてもよい。
【００１７】
次に、上記のようにして設定情報が書込まれた外部記憶媒体４を用いて、空調機の電力抑制制御を行う場合の動作について説明する。
空調機の電力抑制制御動作では、まず、外部記憶媒体４を電力抑制制御器５に接続した後、デマンドコントローラ３は、施設内の消費電力が所定値以下となるよう、電力抑制を要求する要求信号を出力する。この際、デマンドコントローラ３は、施設内の消費電力の逼迫度合いに応じて、最大４段階の要求信号（Ｌｖ１〜Ｌｖ４）を切替えて出力する。
【００１８】
次いで、電力抑制制御器５の情報読出し部５４は、外部記憶媒体４から電力抑制対象の空調機に関する設定情報を読出す。
次いで、電力抑制制御部５５は、デマンドコントローラ３からの要求信号に応じ、情報読出し部５４により読出された電力抑制対象の空調機に関する設定情報に基づいて、当該空調機（室外機１）に対して電力抑制値を示す信号を出力することで電力抑制制御を行う。
その後、電力抑制対象の室外機１は、電力抑制制御器５からの電力抑制値を示す信号に応じて、電力抑制を行う。
【００１９】
以上のように、この実施の形態１によれば、電力抑制制御対象外の空調機を試運転時の状態変化から自動的に決定し設定するように構成したので、空調機の実配置と識別情報とが正確に管理されていない場合であっても容易に電力抑制制御対象外の空調機の設定を行うことができる（実物ベースで設定できる）。また、その自動設定した結果をパソコン６で確認することができる。
【００２０】
なお上記では、電力抑制制御に特化した電力抑制制御器５を用いて、電力抑制制御対象外の空調機を自動設定する場合について示した。しかしながら、これに限るものではなく、例えば従来の高機能な空調制御器に、本発明の機能を適用して、電力抑制制御対象外の空調機を自動設定するように構成してもよい。
【００２１】
実施の形態２．
図２はこの発明の実施の形態２に係る空調機の電力抑制システムの構成を示す図である。
図２に示す実施の形態２に係る空調機の電力抑制システムは、図１に示す実施の形態１に係る空調機の電力抑制システムにスイッチ７を追加し、電力抑制制御器５の状態変化検出部５１を接続機器所在検出部５６に変更したものである。その他の構成は同様であり、同一の符号を付して異なる部分についてのみ説明を行う。
【００２２】
スイッチ７は、電力抑制制御器５と各室外機１を接続する伝送線にそれぞれ挿入され、ユーザによる切替え動作に応じて、電力抑制制御器５から対応する室外機１への伝送線を切断するものである。
【００２３】
接続機器所在検出部５６は、伝送線を介して空調機と通信を行うことで、試運転の際に該当するアドレスの空調機の存在又は不在を検出するものである。
なお、対象外設定部５２は、接続機器所在検出部５６により存在が検出されなかった、又は不在が検出された空調機を電力抑制対象外に設定する。
【００２４】
次に、上記のように構成された空調機の電力抑制システムの動作について説明する。なお以下では、試運転の際に伝送線を介した通信により不在が検出された空調機を電力抑制対象外に設定する場合について示す。
【００２５】
設定情報の設定動作では、まず、ユーザは試運転の際に、電力抑制制御対象外にしたい空調機の室外機１に対応するスイッチ７をオフにして伝送線を切断する。そして、外部記憶媒体４を電力抑制制御器５に接続した後、試運転を行う。次いで、電力抑制制御器５の接続機器所在検出部５６は、伝送線を介して空調機と通信を行うことで、試運転の際に該当するアドレスが不在である空調機を検出する。
【００２６】
次いで、対象外設定部５２は、接続機器所在検出部５６により検出された不在アドレスに該当する空調機を電力抑制対象外に設定する。
以降の動作は、実施の形態１に係る空調機の電力抑制システムの動作と同様である。
【００２７】
以上のように、この実施の形態２によれば、電力抑制制御対象外の空調機を試運転時の所在状態から自動的に決定し設定するように構成したので、空調機の実配置と識別情報とが正確に管理されていない場合であっても容易に電力抑制制御対象外の空調機の設定を行うことができる（実物ベースで設定できる）。また、その自動設定した結果をパソコン６で確認することができる。
【００２８】
なお上記では、電力抑制制御に特化した電力抑制制御器５を用いて、電力抑制制御対象外の空調機を自動設定する場合について示した。しかしながら、これに限るものではなく、例えば従来の高機能な空調制御器に、本発明の機能を適用して、電力抑制制御対象外の空調機を自動設定するように構成してもよい。
【００２９】
実施の形態３．
実施の形態３に係る空調機の電力抑制システムは、図２に示す実施の形態２に係る空調機の電力抑制システムのスイッチ７を、室外機１毎にその電源線を切断するスイッチ８に変更したものである。その他の構成は同様であり、同一の符号を付して異なる部分についてのみ説明を行う。
【００３０】
スイッチ８は、室外機１毎に設けられ、ユーザによる切替え動作に応じて、対応する室外機１への電源線を切断するものである。
そして、設定情報の設定において、ユーザは試運転の際に、電力抑制制御対象外にしたい空調機の室外機１に対応するスイッチ８をオフする。スイッチ８のオフにより電源を遮断された室外機１は電力抑制制御器５との通信ができないため、スイッチ７で伝送線を遮断した実施の形態２と同様の状態となり、同様の効果を奏する。
【００３１】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３２】
１  室外機、２  室内機、３  デマンドコントローラ（電力抑制要求器）、４  外部記憶媒体、５  電力抑制制御器、６  パソコン、７，８  スイッチ、５１  状態変化検出部、５２  対象外設定部、５３  情報書込み部、５４  情報読出し部、５５  電力抑制制御部、５６  接続機器所在検出部、６１  表示部。
【図１】
2015094550.tif 000003
【図２】
2015094550.tif 000004
【手続補正書】
【提出日】平成26年9月26日(2014.9.26)
【手続補正１】
【補正対象書類名】明細書
【補正対象項目名】０００６
【補正方法】変更
【補正の内容】
【０００６】
この発明に係る空調機の電力抑制システムは、電力抑制を要求する要求信号を出力する電力抑制要求器と、電力抑制要求器からの要求信号に応じ、施設内の空調機に対して電力抑制制御を行う電力抑制制御器と、電力抑制制御器と空調機を接続する伝送線、又は空調機の電源線を切断するスイッチとを備え、電力抑制制御器は、試運転の際に空調機の存在又は不在を検出する接続機器所在検出部と、接続機器所在検出部により存在が検出されなかった、又は不在が検出された空調機を電力抑制対象外に設定する対象外設定部と、要求信号の入力に応じ、対象外設定部による設定に基づいて、電力抑制対象の空調機に対して電力抑制値を示す信号を出力することで電力抑制制御を行う電力抑制制御部とを備えたものである。
【手続補正２】
【補正対象書類名】特許請求の範囲
【補正対象項目名】全文
【補正方法】変更
【補正の内容】
【特許請求の範囲】
【請求項１】
施設内の空調機に対して電力抑制制御を行う空調機の電力抑制システムにおいて、
電力抑制を要求する要求信号を出力する電力抑制要求器と、
前記電力抑制要求器からの要求信号に応じ、前記施設内の空調機に対して電力抑制制御を行う電力抑制制御器と、
前記電力抑制制御器と前記空調機を接続する伝送線、又は前記空調機の電源線を切断するスイッチとを備え、
前記電力抑制制御器は、
試運転の際に前記空調機の存在又は不在を検出する接続機器所在検出部と、
前記接続機器所在検出部により存在が検出されなかった、又は不在が検出された前記空調機を電力抑制対象外に設定する対象外設定部と、
前記要求信号の入力に応じ、前記対象外設定部による設定に基づいて、電力抑制対象の前記空調機に対して電力抑制値を示す信号を出力することで電力抑制制御を行う電力抑制制御部とを備えた
ことを特徴とする空調機の電力抑制システム。
【請求項２】
外部から入力された情報を記憶する外部記憶媒体を備え、
前記電力抑制制御器は、前記対象外設定部により設定された情報を前記外部記憶媒体に書込む情報書込み部を備えた
ことを特徴とする請求項１記載の空調機の電力抑制システム。
【請求項３】
前記外部記憶媒体に記憶された情報を表示するパソコンを備えた
ことを特徴とする請求項２記載の空調機の電力抑制システム。